(57)【要約】【課題】解体時に特殊な道具を使わずにロックを解除することができるようにすること。【解決手段】カバー２０の面板のオスロック部の両脇に、所定以上の力で押圧したとき破断してオスロック部を下方に変位させる破断溝２３を形成する。メスロック部を段差Ｈをもって本体の側壁の上端よりも下方に設ける。メスロック部は、スロット１７を持つロック枠１６と、ロック枠の下面の凹部１８とを有する。オスロック部２５は、スロットに差し込まれる差し込み片２６と、差し込み片の外面の係止爪２８とを有する。係止爪は、差し込み方向の先端２８ａがヒンジ２７を介して差し込み片の外面に連結され、差し込み片の外面に垂直な面内でヒンジを支点に揺動自在である。【選択図】図５
2008223881.tif 000002
【特許請求の範囲】
【請求項１】
本体と、
カバーと、
前記本体の側壁の外面に設けられたメスロック部と、前記カバーの面板の側縁部に下向きに連設された、前記メスロック部とロック可能なオスロック部と、を有し、前記本体の側壁の上端に前記カバーの面板の側縁部を載せた状態で、前記本体と前記カバーをロックするロック機構と、
を備えた樹脂成形品であって、
前記カバーの面板の前記オスロック部の両脇に、前記オスロック部が所定以上の力で下向きに押圧されたときに破断して、当該オスロック部を下方に変位させる破断溝が形成され、
前記メスロック部は、前記カバーを前記本体に合わせる方向に貫通したスロットを持つロック枠と、該ロック枠の下面に前記スロットと連続して形成された凹部と、を有し、
前記オスロック部は、
前記スロットに差し込まれる舌片状の差し込み片と、
該差し込み片の外面に設けられ、差し込み片が前記スロットに差し込まれたとき、前記ロック枠を撓み変形させつつロック枠の下面側に突き抜け、その突き抜けた状態でロック枠の形状が復元することで前記凹部に収まって、その状態で前記凹部の上面壁と自身の後端壁とが係合することにより、前記差し込み片のスロットからの抜けを阻止してロック力を発生する係止爪と、
を有することを特徴とする樹脂成形品。
【請求項２】
前記メスロック部は、前記破断溝が破断して前記オスロック部が下方に変位したとき、それを許容し得る段差をもって前記本体の側壁の上端よりも下方に設けられていることを特徴とする請求項１に記載した樹脂成形品。
【請求項３】
前記係止爪は、前記差し込み片の前記スロットへの差し込み方向の先端が、ヒンジを介して前記差し込み片の外面に連結されており且つ、該差し込み片の外面に垂直な面内で前記ヒンジを支点に揺動自在に設けられていることを特徴とする請求項１または請求項２に記載した樹脂成形品。
【請求項４】
前記本体がワイヤハーネスを保護するプロテクタ本体であり、前記カバーが前記プロテクタ本体の開口面を閉じるプロテクタカバーであることを特徴とする請求項１〜請求項３のいずれか一項に記載した樹脂成形品。
【発明の詳細な説明】
【技術分野】
【０００１】
本発明は、ワイヤハーネスのプロテクタ等の樹脂成形品に係り、特に、樹脂成形品に設けられたロック機構に関する。
【背景技術】
【０００２】
プロテクタのロック機構として、例えば、特許文献１に記載のものが知られている。図９および図１０は特許文献１に記載されたプロテクタのロック機構の構造を示す断面図である。図９および図１０において、１１０はプロテクタ本体、１２０はその上面開口を閉止するプロテクタカバーである。プロテクタ本体１１０にはメスロック部１１５が設けられ、そしてプロテクタカバー１２０には、前記メスロック部１１５とロックするオスロック部１２５が設けられている。
【０００３】
プロテクタ本体１１０側のメスロック部１１５は、カバー１２０をプロテクタ本体１１０に合わせる方向に貫通したスロット１１７を持つロック枠１１６と、該ロック枠１１６の下面にスロット１１７と連続して形成された凹部１１８と、を有している。
【０００４】
また、プロテクタカバー１２０側のオスロック部１２５は、スロット１１７に差し込まれるロックアーム１２６と、ロックアーム１２６の外面に設けられ、ロックアーム１２６がスロット１１７に差し込まれたとき、ロックアーム１２６を撓み変形させつつロック枠１１６の下面側に突き抜け、突き抜けた状態でロックアーム１２６の形状が復元することで凹部１１８に収まって、その状態で凹部１１８の上面壁と自身の後端壁とが係合することにより、ロックアーム１２６のスロット１１７からの抜けを阻止して、ロック力を発生する係止爪１２７と、を有している。
【０００５】
このプロテクタの場合、プロテクタカバー１２０をプロテクタ本体１１０に被せると、ロックアーム１２６のスロット１１７への差し込み動作に伴って、係止爪１２７がロック枠１１６に干渉し、それにより、ロックアーム１２６が内方に撓んで、係止爪１２７がロック枠１１６の下面側に突き抜ける。そして、突き抜けた状態でロックアーム１２６の形状が復元することで、係止爪１２７が凹部１１８に収まって、その状態で凹部１１８の上面壁と係止爪１２７の後端壁とが係合することにより、ロックアーム１２６のスロット１１７からの抜けが阻止されて、ロック力が発生する。
【０００６】
また、ロックを解除するときは、工具等を凹部１１８に差し入れて、ロックアーム１２６を図９に示すように内方に撓ませ、その状態で係止爪１２７が凹部１１８から外れるので、プロテクタカバー１２０を上方に引き上げることで、ロックアーム１２６がロック枠１１６から抜けて、ロックが解除される。
【０００７】
【特許文献１】特開２００６−１９１７６０号公報
【発明の開示】
【発明が解決しようとする課題】
【０００８】
上述の従来のロック機構は、ロック解除時に工具等を使用しないといけないので、ワイヤハーネスのリサイクル等を目的として解体作業を行なう場合に、当該作業が面倒になるおそれがあった。また、従来のロック機構では、ロックアーム１２６を撓ませることで、ロックおよびロック解除するようになっているため、ロック枠１１６が大きくなって、プロテクタ自体の大きさが大きくなりがちであり、そのため、最近の車両内の狭いスペースにワイヤハーネスの配索経路を確保するような場合には、プロテクタが使用不可となる可能性があった。
【０００９】
本発明は、上述した事情に鑑みてなされたものであり、その目的は、解体時に特殊な道具を使わずにロックを解除することができると共に、樹脂成形品の大きさをできるだけ小さくすることのできるロック機構を備えた樹脂成形品を提供することにある。
【課題を解決するための手段】
【００１０】
前述した目的を達成するために、本発明に係る樹脂成形品は、下記（１）〜（４）を特徴としている。
（１）  本体と、
カバーと、
前記本体の側壁の外面に設けられたメスロック部と、前記カバーの面板の側縁部に下向きに連設された、前記メスロック部とロック可能なオスロック部と、を有し、前記本体の側壁の上端に前記カバーの面板の側縁部を載せた状態で、前記本体と前記カバーをロックするロック機構と、
を備えた樹脂成形品であって、
前記カバーの面板の前記オスロック部の両脇に、前記オスロック部が所定以上の力で下向きに押圧されたときに破断して、当該オスロック部を下方に変位させる破断溝が形成され、
前記メスロック部は、前記カバーを前記本体に合わせる方向に貫通したスロットを持つロック枠と、該ロック枠の下面に前記スロットと連続して形成された凹部と、を有し、
前記オスロック部は、
前記スロットに差し込まれる舌片状の差し込み片と、
該差し込み片の外面に設けられ、差し込み片が前記スロットに差し込まれたとき、前記ロック枠を撓み変形させつつロック枠の下面側に突き抜け、その突き抜けた状態でロック枠の形状が復元することで前記凹部に収まって、その状態で前記凹部の上面壁と自身の後端壁とが係合することにより、前記差し込み片のスロットからの抜けを阻止してロック力を発生する係止爪と、
を有すること。
（２）  上記（１）の構成の樹脂成形品において、
前記メスロック部は、前記破断溝が破断して前記オスロック部が下方に変位したとき、それを許容し得る段差をもって前記本体の側壁の上端よりも下方に設けられていること。
（３）  上記（１）または（２）の構成の樹脂成形品において、
前記係止爪は、前記差し込み片の前記スロットへの差し込み方向の先端が、ヒンジを介して前記差し込み片の外面に連結されており且つ、該差し込み片の外面に垂直な面内で前記ヒンジを支点に揺動自在に設けられていること。
（４）  上記（１）〜（３）のいずれかの構成の樹脂成形品において、
前記本体がワイヤハーネスを保護するプロテクタ本体であり、前記カバーが前記プロテクタ本体の開口面を閉じるプロテクタカバーであること。
【００１１】
上記（１）〜（３）の構成の樹脂成形品では、カバーを本体に被せると、本体の側壁の上端にカバーの面板の側縁部が乗り、その状態でメスロック部とオスロック部が係合して、カバーと本体がロックする。即ち、メスロック部のロック枠のスロットにオスロック部の差し込み片が差し込まれ、それに伴って、差し込み片の外面に設けられた係止爪がロック枠を撓み変形させつつロック枠の下面側に突き抜ける。そして、突き抜けた状態でロック枠の形状が復元することで、係止爪が凹部に収まって、その状態で凹部の上面壁と係止爪の後端壁とが係合することにより、差し込み片のスロットからの抜けが阻止されて、ロック力が発生する。
この際、特に上記（３）の構成の樹脂成形品では、係止爪は、差し込み方向の先端がヒンジで差し込み片に連結されているので、差し込み片と共にスロットに挿入されるとき、後端側を差し込み方向の後側に位置させ且つ差し込み片に沿った姿勢で、スロットに進入していき、スロットを潜り抜ける。そして、スロットを潜り抜けたところで、ロック枠が弾性復元することにより、係止爪が、スロットに連続して形成された凹部に収まり、凹部内で凹部の上端壁と係止爪の後端壁とが係合して、ロック力を発生する。この状態で、カバーに引き上げ力が働いても、係止爪は凹部内に収まったままであるため、ロックは外れない。
次に解体に際してロックを解除する場合は、オスロック部を所定以上の力で押圧する。そうすると、オスロック部の両脇の破断溝が破断することにより、オスロック部の押し下げが可能になる。ここで、特に上記（２）の構成の樹脂成形品では、メスロック部が、本体の側壁の上端より所定の段差を設けて下側に配置されているので、その段差分だけオスロック部が下方へ変位することになる。そうすると、オスロック部の差し込み片が下方へ変位するのに伴って、係止爪が凹部から下に飛び出し、凹部による拘束を解かれて自由になることにより、係止爪がヒンジを支点に下方へ揺動させて、差し込み時の姿勢と反対向きになる。そこで、そのままカバーを引き上げる。そうすると、係止爪の後端壁が引き抜き方向と反対向きになることで、ヒンジを先頭にして係止爪がスロットに進入し、ロック枠を撓み変形させて、ロック枠の上側に潜り抜ける。従って、凹部の上端壁と引っ掛からずに係止爪が抜けることになり、ロックが解除される。
このように、オスロック部を手で押し下げてから、カバーを引き上げるだけで、ロックを解除することができるので、余計な工具類を必要とせず、短時間で簡単に解体作業を行なうことができる。また、オスロック部の撓みではなく、専らロック枠の撓みを利用してロックおよびロック解除するので、ロック機構の大きさを最小限に留めることができ、例えばプロテクタを小型化することができる。また、ロック機構部分を破壊して外す必要がないので、小さな破片が飛び散ることがなく、例えばリサイクルに回す電線に樹脂片が混入すること心配がない。従って、資源再利用の際の材料分別の精度を上げることができる。
また、上記（４）の構成の樹脂成形品によれば、プロテクタ本体とプロテクタカバーとの間に上記のロック機構を設けたので、プロテクタの取り外しの容易化を図ることができる。
【発明の効果】
【００１２】
本発明によれば、樹脂成形品の解体時に特殊な道具を使わずにロックを解除することができると共に、樹脂成形品の大きさをできるだけ小さくすることができる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態として、ロック機構を備えたプロテクタを図面に基づいて説明する。
【００１５】
図１（ａ）および（ｂ）は本発明の実施形態のプロテクタの本体の構成図であって、図１（ａ）は平面図、そして図１（ｂ）は側面図である。図２（ａ）および（ｂ）はプロテクタのカバーの構成図であって、図２（ａ）は平面図、そして図２（ｂ）は側面図である。図３（ａ）は図１（ａ）の矢印ＩＩＩが指し示す部分の拡大図、図３（ｂ）は図３（ａ）の側面図、そして図３（ｃ）は図３（ｂ）のＩＩＩｃ−ＩＩＩｃ矢視断面図である。図４（ａ）は図２（ａ）の矢印ＩＶが指し示す部分の拡大図、図４（ｂ）は図４（ａ）の側面図、そして図４（ｃ）は図４（ｂ）のＩＶｃ−ＩＶｃ矢視断面図である。図５〜図８はロックを解除する際の作用説明のためのロック機構の断面図である。
【００１６】
このプロテクタは、図１（ａ）および（ｂ）に示す合成樹脂製のプロテクタ本体１０と、図２（ａ）および（ｂ）に示す合成樹脂製のプロテクタカバー２０と、を備える樹脂成形品である。プロテクタ本体１０は、底壁１１と左右両側壁１２とを有するコ字状をなしており、そしてプロテクタカバー２０は、プロテクタ本体１０の上面開口を閉止する面板２１を有している。
【００１７】
プロテクタ本体１０とプロテクタカバー２０には、メスロック部１５とオスロック部２５の組からなるロック機構が左右２個ずつの合計４個、適当な間隔をおいて設けられている。メスロック部１５はプロテクタ本体１０に一体に形成され、そしてオスロック部２５はプロテクタカバー２０に一体に形成されている。より詳細には、メスロック部１５はプロテクタ本体１０の側壁１２の外面に設けられ、そしてオスロック部２５はプロテクタカバー２０の面板２１の左右側縁部に下向きに連設されている。そして、プロテクタ本体１０の側壁１２の上端１２ａに、プロテクタカバー２０の面板２１の側縁部を載せた状態で、メスロック部１５とオスロック部２５とを係合することにより、プロテクタ本体１０とプロテクタカバー２０とをロックすることができるようになっている。
【００１８】
図４（ａ）および（ｂ）に示すように、プロテクタカバー２０の面板２１の下面のオスロック部２５の両脇には、オスロック部２５が所定以上の力で下向きに押圧されたときに面板２１を部分的に破断させて、当該オスロック部２５を下方に変位させる破断溝２３が互いに平行に形成されている。
【００１９】
また、図３（ａ）〜（ｃ）に示すように、メスロック部１５は、プロテクタカバー２０側の破断溝２３が破断してオスロック部２５が下方に変位したとき、それを許容し得る段差Ｈをもって、プロテクタ本体１０の側壁１２の上端１２ａよりも下方に設けられている。
【００２０】
このメスロック部１５は、プロテクタカバー２０をプロテクタ本体１０に合わせる方向に貫通したスロット１７を持つ矩形小フランジ状のロック枠１６と、このロック枠１６の下面にスロット１７と連続して形成された凹部１８とを有している。
【００２１】
また、図４（ａ）〜（ｃ）に示すように、オスロック部２５は、スロット１７に差し込まれる舌片状の差し込み片２６と、この差し込み片２６の外面に設けられた係止爪２８とを有している。係止枠２８は、差し込み片２６がスロット１７に差し込まれたとき、ロック枠１６を撓み変形させつつロック枠１６の下面側に突き抜け、突き抜けた状態でロック枠１６の形状が復元することで凹部１８に収まって、その状態で凹部１８の上面壁と自身の後端壁２８ｂとが係合することにより、差し込み片２６のスロット１７からの抜けを阻止して、ロック力を発生するものである。
【００２２】
この場合の係止爪２８は、差し込み片２６のスロット１７への差し込み方向の先端２８ａが、薄肉ヒンジ２７を介して差し込み片２６の外面に連結されることで、差し込み片１６の外面に垂直な面内でヒンジ２７を中心に回動可能（即ち、ヒンジ２７を支点に揺動自在）に設けられている。
【００２３】
次に作用を説明する。プロテクタカバー２０をプロテクタ本体１０に被せると、プロテクタ本体１０の側壁１２の上端１２ａにプロテクタカバー２０の面板２１の側縁部が乗り、その状態でメスロック部１５とオスロック部２５が係合して、プロテクタカバー２０とプロテクタ本体１０がロックする。即ち、メスロック部１５のロック枠１６のスロット１７にオスロック部２５の差し込み片２６が差し込まれ、それに伴って、差し込み片２６の外面に設けられた係止爪２８がロック枠１６を撓み変形させつつロック枠１６の下面側に突き抜ける。そして、突き抜けた状態でロック枠１６の形状が復元することで、係止爪２８が凹部１８に収まって、その状態で凹部１８の上面壁と係止爪２８の後端壁２８ｂとが係合することにより、差し込み片２６のスロット１７からの抜けが阻止されて、ロック力が発生する。図５はこのロック状態を示している。
【００２４】
この際、係止爪２８は、差し込み方向の先端２８ａがヒンジ２７で差し込み片２６に連結されているので、差し込み片２６と共にスロット１７に挿入されるとき、後端側を差し込み方向の後側に位置させ且つ差し込み片２６に沿った姿勢で、スロット１７に進入していき、スロット１７を潜り抜ける。そして、スロット１７を潜り抜けたところで、ロック枠１６が弾性復元することにより、係止爪２８が、スロット１７に連続して形成された凹部１８に収まり、凹部１８内で凹部１８の上端壁と係止爪２８の後端壁２８ｂとが係合して、ロック力を発生する。この状態で、プロテクタカバー２０に引き上げ力が働いても、係止爪２８は凹部１８内に収まったままであるため、ロックは外れない。
【００２５】
次に解体に際してロックを解除する場合は、図５の状態から、図６に矢印Ａで示すように、オスロック部２５を所定以上の力で押圧する。そうすると、オスロック部２５の両脇の破断溝２３が破断することにより、オスロック部２５の押し下げが可能になる。ここで、メスロック部１５は、プロテクタ本体１０の側壁１２の上端１２ａより所定の段差Ｈを設けて下側に配置されているので、その段差Ｈ分だけオスロック部２５が下方へ変位することになる。そうすると、オスロック部２５の差し込み片２６が下方へ変位するのに伴って、係止爪２８が凹部１８から下に飛び出し、凹部１８による拘束を解かれて自由になることにより、係止爪２８がヒンジ２７を中心にして下方へ回動して、差し込み時の姿勢と反対向きになる。
【００２６】
そこで、そのままプロテクタカバー２０を、図７の矢印Ｂで示す方向に引き上げる。そうすると、係止爪２８の後端壁２８ｂが引き抜き方向（矢印Ａ方向）と反対向き（図では下向き）になることで、ヒンジ２７を先頭にして係止爪２８がスロット１７に進入し、ロック枠１６を撓み変形させて、ロック枠１６の上側に潜り抜ける。従って、図８に示すように、凹部１８の上端壁と引っ掛からずに係止爪２８が抜けることになり、ロックが解除される。
【００２７】
このように、オスロック部２５を手で押し下げてから、プロテクタカバー２０を引き上げるだけで、ロックを解除することができるので、余計な工具類を必要とせず、短時間で簡単に解体作業を行なうことができる。また、オスロック部２５の撓みではなく、ロック枠１６の撓みを利用してロックおよびロック解除するので、ロック機構の大きさを最小限に留めることができ、プロテクタを小型化することができる。また、ロック機構部分を破壊して外す必要がないので、小さな破片が飛び散ることがなく、例えばリサイクルに回す電線に樹脂片が混入すること心配がない。従って、資源再利用の際の材料分別の精度を上げることができる。
【００２８】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００２９】
【図１】図１（ａ）および（ｂ）は本発明の実施形態のプロテクタの本体の構成図であって、図１（ａ）は平面図、そして図１（ｂ）は側面図である。
【図２】図２（ａ）および（ｂ）はプロテクタのカバーの構成図であって、図２（ａ）は平面図、そして図２（ｂ）は側面図である。
【図３】図３（ａ）は図１（ａ）の矢印ＩＩＩが指し示す部分の拡大図、図３（ｂ）は図３（ａ）の側面図、そして図３（ｃ）は図３（ｂ）のＩＩＩｃ−ＩＩＩｃ矢視断面図である。
【図４】図４（ａ）は図２（ａ）の矢印ＩＶが指し示す部分の拡大図、図４（ｂ）は図４（ａ）の側面図、そして図４（ｃ）は図４（ｂ）のＩＶｃ−ＩＶｃ矢視断面図である。
【図５】本発明の実施形態のロック機構のロック時の状態を示す断面図である。
【図６】図５のロック状態の解除のためにオスロック部を押し下げた状態を示す断面図である。
【図７】図６の状態に次いでプロテクタカバーを引き上げた状態を示す断面図である。
【図８】ロック状態を完全に解除した状態を示す断面図である。
【図９】従来のロック機構のロック解除のための初期操作を行なった時の状態を示す断面図である。
【図１０】次いでカバーを引き上げてロックを完全に解除した時の状態を示す断面図である。
【符号の説明】
【００３０】
１０：プロテクタ本体
１２：側壁
１２ａ：上端
１５：メスロック部
１６：ロック枠
１７：スロット
１８：凹部
２０：プロテクタカバー
２１：面板
２３：破断溝
２５：オスロック部
２６：差し込み片
２７：ヒンジ
２８：係止爪
２８ａ：先端
２８ｂ：後端壁
【図１】
2008223881.tif 000003
【図２】
2008223881.tif 000004
【図３】
2008223881.tif 000005
【図４】
2008223881.tif 000006
【図５】
2008223881.tif 000007
【図６】
2008223881.tif 000008
【図７】
2008223881.tif 000009
【図８】
2008223881.tif 000010
【図９】
2008223881.tif 000011
【図１０】
2008223881.tif 000012